(57)【要約】      （修正有）【課題】設計・開発段階における音声確認を容易にする遊技機を提供する。【解決手段】音声信号を出力する音声信号出力手段３１と、前記音声信号出力手段３１から出力された音声信号を増幅する音声信号増幅手段４１と、前記音声信号増幅手段４１によって増幅された音声信号に基づいて音声を出力する音声出力装置と、を備え、前記音声信号出力手段３１が第一基板３０に設けられ、前記音声信号増幅手段４１が前記第一基板３０とは異なる第二基板４０に設けられている遊技機とする。【選択図】図４
2016202826.tif 000002
【特許請求の範囲】
【請求項１】
音声信号を出力する音声信号出力手段と、
前記音声信号出力手段から出力された音声信号を増幅する音声信号増幅手段と、
前記音声信号増幅手段によって増幅された音声信号に基づいて音声を出力する音声出力装置と、
を備え、
前記音声信号出力手段が第一基板に設けられ、前記音声信号増幅手段が前記第一基板とは異なる第二基板に設けられていることを特徴とする遊技機。
【請求項２】
前記音声出力装置と前記第二基板は、同じ部材に固定されていることを特徴とする請求項１に記載の遊技機。
【発明の詳細な説明】
【技術分野】
【０００１】
本発明は、音声信号を出力する音声信号出力手段および当該音声信号出力手段から出力された音声信号を増幅する音声信号増幅手段備えた遊技機に関する。
【背景技術】
【０００２】
このような音声信号出力手段および音声信号増幅手段を備える遊技機が公知である（例えば下記特許文献１参照）。これらの手段を含む音声制御回路としては、図６に示すような構成が例示できる。音声制御回路１０１が設けられた基板１００に搭載されたＣＰＵは、音声信号出力手段１０２から音声信号を出力させる。この出力された音声信号は、音声信号増幅手段１０３によって増幅された後、基板外に設けられた音声出力装置１０４（スピーカ）から出力される。
【先行技術文献】
【特許文献】
【０００３】
【特許文献１】特開２００６−２５４９７５号公報
【発明の概要】
【発明が解決しようとする課題】
【０００４】
この種の遊技機において、設計・開発段階において音声を確認する場合、図６に示すように、音声信号増幅手段１０３と音声出力装置１０４との間で、ヘッドホンやイヤホンといった、上記音声出力装置１０４とは別の確認用音声出力装置１０６を接続して音声を確認したりする。
【０００５】
しかし、ヘッドホンやイヤホンで音声を確認する場合、音声信号増幅手段１０３によって増幅された音声信号は出力レベルが高すぎるため、一旦変換装置１０５によってレベルを落とした上でその信号をヘッドホンやイヤホンに送る必要がある。このような音声確認手法は、変換装置１０５によって低下させなければならないレベルが大きいため、レベルの調整が煩わしいし、変換装置の発熱や音質の低下を招くこともある。
【０００６】
本発明の目的は、設計・開発段階における音声確認を容易にする遊技機を提供することである。
【課題を解決するための手段】
【０００７】
上記課題を解決するためになされた本発明にかかる遊技機は、音声信号を出力する音声信号出力手段と、前記音声信号出力手段から出力された音声信号を増幅する音声信号増幅手段と、前記音声信号増幅手段によって増幅された音声信号に基づいて音声を出力する音声出力装置と、を備え、前記音声信号出力手段が第一基板に設けられ、前記音声信号増幅手段が前記第一基板とは異なる第二基板に設けられていることを特徴とする。
【０００８】
本発明にかかる遊技機では、音声信号出力手段と音声信号増幅手段とが別の基板に設けられているため、増幅される前の音声信号を取り出すことが容易である。つまり、音声確認用の音声信号として、当該音声信号出力手段から出力される（増幅されていない）低レベルの信号を用いる場合に、第一基板に設けられた音声信号出力手段に対し、音声信号増幅手段を介さずに外部機器等を接続することが容易である。
【０００９】
前記音声出力装置と前記第二基板は、同じ部材に固定されているとよい。
【００１０】
音声信号出力手段は、出力される音声の具体的内容を制御するものであるため、機種ごとに変化させる必要がある一方、音声出力装置や音声信号増幅手段は、異なる機種であっても同じものを使用することが可能である。したがって、音声出力装置と音声信号増幅手段が設けられた第二基板を、同じ部材に固定することによって複数機種に共通するユニットとすること（共通するユニットとすることによるコストダウンを図ること）が可能である。
【発明の効果】
【００１１】
本発明によれば、遊技機の設計・開発段階における音声確認を容易にすることが可能である。
【図面の簡単な説明】
【００１２】
【図１】本発明の一実施形態にかかる遊技機の正面図である。
【図２】本発明の一実施形態にかかる遊技機の制御ブロック図である。
【図３】音声信号出力手段から音声信号増幅手段を経てスピーカに至るまでの構成を示したブロック図である。
【図４】遊技機の設計・開発段階において音声確認を実行する際の構成（配線）を示したブロック図である。
【図５】変形例にかかる遊技機を説明するための図である。
【図６】従来の遊技機における音声制御回路が構築された部分およびそれに接続される装置を模式的に示した図である。
【発明を実施するための形態】
【００１３】
以下、本発明にかかる実施形態について図面を参照して詳細に説明する。まず、図１を参照して遊技機１の全体構成について簡単に説明する。遊技機１は、額縁形状の機枠９０を有し、この機枠９０には前面枠９１が回動自在に支持されている。前面枠９１には、前側から遊技盤９２を視認可能とする透明な板が設けられている。また、前面枠９１の左上および右上には音声出力装置であるスピーカ３４が設けられている。
【００１４】
遊技盤９２は、ほぼ正方形の合板により成形されており、前面枠９１に着脱可能に取り付けられている。この遊技盤９２には、発射装置９４（ハンドル）の操作によって発射された遊技球を遊技領域９２２に案内する金属製の薄板からなる帯状のガイドレール９２３が略円弧形状となるように設けられている。
【００１５】
遊技領域９２２には、第一始動入賞口９２４、第二始動入賞口９２５、大入賞口９２６、アウト口９２７などが設けられている。表示装置９３は、大当たりの当否を報知する識別図柄等が表示される。かかる表示装置９３の表示画面は、遊技盤９２に形成された開口９２１を通じて視認可能である。
【００１６】
また、遊技領域９２２には、流下する遊技球が衝突することにより遊技球の流下態様に変化を与える障害物としての遊技釘（図示せず）が複数設けられている。遊技領域９２２を流下する遊技球は、遊技釘に衝突したときの条件に応じて様々な態様に変化する。
【００１７】
このような遊技機１では、発射装置９４（ハンドル）を操作することにより遊技領域９２２に向けて遊技球を発射する。遊技領域９２２を流下する遊技球が、始動入賞口９２４、９２５や大入賞口９２６等の入賞口に入賞すると、所定の数の賞球が払出装置により払い出される。その他の構成等は、公知の遊技機と同様のものが適用できるため、本発明に関わるもの以外の説明は省略する。
【００１８】
図２に示すように、本実施形態にかかる遊技機１は、主制御基板２０およびサブ制御基板３０（本発明における第一基板に相当する）を備える。主制御基板２０は、上述した始動入賞口９２４、９２５や大入賞口９２６等において遊技球が入賞したことを検出するセンサ類２２と中継回路２１を介して接続されている。また、払出制御回路２３を介して貸球払出装置２４や賞球払出装置２５等の払出装置や、払出制御回路２３および発射制御回路２６を介して発射装置に接続されている。主制御基板２０は、始動入賞口９２４、９２５に遊技球が入賞したことに基づく大当たりの抽選や、各種入賞口に遊技球が入賞したことに基づく遊技球の払い出し等を制御する。
【００１９】
サブ制御基板３０は、主に、主制御基板２０からの信号（大当たりフラグの成否や、所定の入賞領域に遊技球が入賞したことを知らせる信号等）を受けて、実行する演出を決定、制御する。演出は、表示装置９３に画像を表示したり、各種照明３２（ランプ）を点灯、点滅させたり、スピーカ３４から音声を出力したりする。
【００２０】
これらの機能のうち、音声の出力に関し図２および図３等を参照しつつ、以下詳細に説明する。スピーカ３４から出力される音声を制御するための手段（回路）である、音声信号出力手段３１がサブ制御基板３０に設けられている。音声信号出力手段３１はサブ制御基板３０に搭載されたＣＰＵ等によって駆動するものである。具体的には、主制御基板２０から送られる各種信号を受けたサブ制御基板３０（ＣＰＵ）は、その信号に基づき、実行する演出を決定（抽選）する。その演出が音声出力を伴う場合には、サブ制御基板３０は音声信号出力手段３１（音声用回路；ＤＳＰ（デジタルシグナルプロセッサ））から実行することが決定された演出で使用する音声信号を出力させる。
【００２１】
出力された音声信号は、音声信号増幅手段４１（アンプ回路）によって増幅される。本実施形態では、当該音声信号増幅手段４１が、サブ制御基板３０（第一基板）とは異なる基板である増幅用基板４０（本発明における第二基板に相当する）に設けられている。増幅用基板４０には、音声信号増幅手段４１以外の回路が構築されていてもよい。本実施形態における増幅用基板４０は前面枠９１に固定されている。上述したように、前面枠９１にはスピーカ３４が設けられている。つまり、増幅用基板４０とスピーカ３４は、同じ部材（遊技機本体（筐体）を構成する部材）に固定されたものである。したがって、増幅用基板４０とスピーカ３４を繋ぐ配線も、前面枠９１に固定することが可能である。また、音声信号出力手段３１（サブ制御基板３０）は、前面枠９１とは異なる別の部材に固定されている。本実施形態では、遊技盤９２の後方に設けられたベース部材（図示せず）に固定されている。
【００２２】
音声信号増幅手段４１によって増幅された信号が上記スピーカ３４に送られ、当該スピーカ３４から所定の音声が出力される。
【００２３】
本実施形態では、音声信号出力手段３１、音声信号増幅手段４１、スピーカ３４は、電線（ハーネス）によって電気的に接続されている。サブ制御基板３０や増幅用基板４０には、当該接続のためのコネクタ（基板実装型のコネクタ）が設けられている。具体的には、サブ制御基板３０には、音声信号出力手段３１の出力側（下流側）に増幅前出力コネクタ３１１が設けられ、増幅用基板４０には、音声信号増幅手段４１の入力側（上流側）に増幅前入力コネクタ４１１が、音声信号増幅手段４１の出力側（下流側）に増幅後出力コネクタ４１２が設けられている。音声信号出力手段３１と音声信号増幅手段４１とは、一端に増幅前出力コネクタ３１１と嵌合可能なコネクタ６１１が、他端に増幅前入力コネクタ４１１と嵌合可能なコネクタ６１２が設けられた電線６１によって電気的に接続される。音声信号増幅手段４１とスピーカ３４は、一端に増幅後出力コネクタ４１２と嵌合可能なコネクタ６２１が設けられた電線６２によって電気的に接続される（当該電線（電線の他端）とスピーカ３４の接続構造はどのようなものであってもよい）。なお、これらの接続構造はあくまで一例である。音声信号出力手段３１から出力された音声信号が、音声信号増幅手段４１によって増幅された上でスピーカ３４に送られる構成であればよい。
【００２４】
このように構成される遊技機１において、遊技機１の設計・開発段階（製品として出荷する前の段階という意味である。例えば工場において製品を組み立てた後、出荷前に行われる検査等も当該段階に含まれる）における音声確認の一例は以下の通りである。図４に示すように、サブ制御基板３０には増幅前出力コネクタ３１１が設けられているから、当該増幅前出力コネクタ３１１を利用して、音声信号出力手段３１と信号レベルを調整することが可能な変換装置５０（外部機器）を電気的に接続する。具体的には、一端に増幅前出力コネクタ３１１と嵌合可能なコネクタ６３１が設けられた電線６３によって両者を電気的に接続する。この変換装置５０によって信号レベルを調節した上で、当該信号をヘッドホンやイヤホン、外付スピーカといった、遊技機１に搭載されたスピーカ３４とは別の確認用音声出力装置５１（遊技機１に搭載されたスピーカ３４よりも出力レベルが小さい装置）から出力し、音声の確認を行う。なお、音声出力装置５１を利用せず、音声出力が正常になされているかどうかを視覚的に確認（モニタリング）することができる確認装置を用いてもよい。
【００２５】
最終的には、電線６１（コネクタ６１１、６１２）によって音声信号出力手段３１と音声信号増幅手段４１とが電気的に接続され、電線６２（コネクタ６２）によって音声信号増幅手段４１とスピーカ３４が電気的に接続された状態、すなわち音声増幅回路が構築された状態で遊技機１が出荷される。
【００２６】
このように、本実施形態にかかる遊技機１では、音声信号出力手段３１と音声信号増幅手段４１とは別の基板に設けられているから、音声信号出力手段３１から出力された音声信号を、音声信号増幅手段４１によって増幅される前の段階で取り出すことが可能である。そのため、増幅された高レベルの信号を、ヘッドホンやイヤホンなどの音声出力装置５１用に大きく低下させる必要がなくなるから、音声確認時のレベルの調整が容易である。また、増幅された音声信号を取り出さなければならない場合に比べて、変換装置５０の発熱や音質の低下を抑制することも可能である。
【００２７】
また、スピーカ３４と音声信号増幅手段４１が設けられた増幅用基板４０とは、ともに前面枠９１に固定されたものであるから、音声信号増幅手段４１、増幅用基板４０およびこれらを繋ぐ配線（電線やコネクタ）と前面枠９１から構成されるユニットを複数の機種に共通する共通ユニットとすることが可能である。つまり、音声信号出力手段３１（サブ制御基板３０）は、演出の音声の具体的内容を制御するための手段であるため機種ごとに変化させる必要があるのに対し、音声信号増幅手段４１、増幅用基板４０、これらを繋ぐ配線（電線やコネクタ）および前面枠９１は、具体的な演出等を実行するための手段ではないため同じ構成を使用することができるところ、本実施形態では音声信号出力手段３１と音声信号増幅手段４１が別々の基板に設けられているため、必ずしも機種ごとに変化させる必要がない部分を共通部分としてユニット化することが可能である。
【００２８】
以下、上記実施形態にかかる遊技機１の変形例について説明する。変形例にかかる遊技機は、サブ制御基板３０や増幅用基板４０に、音声信号増幅手段４１によって増幅される前の段階の音声信号を取り出すための接続部７０が設けられたものである。増幅される前の音声信号を取り出すことができればよいのであるから、図５（ａ）に示すようにサブ制御基板３０における音声信号出力手段３１の出力側（下流側）配線（基板に形成された配線パターン）に接続部７０を設けてもよいし、図５（ｂ）に示すように増幅用基板４０における音声信号増幅手段４１の入力側（上流側）配線（配線パターン）に接続部７０を設けてもよい。図５（ｂ）の場合は、音声信号出力手段３１と音声信号増幅手段４１を電気的に接続した状態で、音声確認のために接続部７０を使用することとなる。当該接続部７０は、スルーホールやビアによって構築することができる。
【００２９】
このような構成とすることにより、音声信号増幅手段４１によって増幅される前の段階の音声信号を取り出すために、サブ制御基板３０に実装されたコネクタ３１１と嵌合可能なコネクタを用意する必要がなくなる。また、接続部７０はスルーホールやビアといった基板に形成される「孔」にすぎないため、基板を収納するケースの形状を変更したりする必要がない。ただし、上記実施形態のように、音声信号出力手段３１と音声信号増幅手段４１を電気的に接続するためのコネクタを利用した構成の方が、基板に別途接続部７０を設ける必要がないという点において有利である。このように、上記実施形態では、サブ制御基板３０に実装されたコネクタ３１１が、音声確認時において音声信号出力手段３１と確認用の機器を（音声信号増幅手段４１を介さずに）電気的に接続するための出力用のポートとして機能することとなる一方、変形例においてはサブ制御基板３０や増幅用基板４０に設けられた接続部７０が、音声確認時において音声信号出力手段３１と確認用の機器を（音声信号増幅手段４１を介さずに）電気的に接続するための出力用のポートとして機能することになる。また、スピーカ３４からの出力はアナログ信号で、音声信号出力手段３１からの信号はデジタル信号であるため、接続部７０に確認用の機器などを接続することで、スピーカ３４からの出力（発音状態）と音声信号出力手段３１からの出力（発音状態・音データ）を同時に確認すること（アナログ出力とデジタル出力を同時に確認すること）が可能となる。ただし、変形例において接続部７０を使用せず、サブ制御基板３０に実装されたコネクタ３１１を利用して音声確認を行うことを否定するものではない。
【００３０】
以上、本発明の実施の形態について詳細に説明したが、本発明は上記実施の形態に何ら限定されるものではなく、本発明の要旨を逸脱しない範囲で種々の改変が可能である。
【００３１】
上記実施形態（変形例）にかかる遊技機１はいわゆるぱちんこ遊技機であるが、スロットマシン等、他の遊技機に適用することも可能である。
【００３２】
上記実施形態（変形例）にかかる遊技機１では、演出等を制御するサブ制御基板３０に音声信号出力手段３１が設けられていることを説明したが、音声信号出力手段３１が設けられた基板と、音声信号増幅手段４１が設けられた基板が別の基板であればよく、各手段が設けられる基板はどのようなものであってもよい（各手段を設けるための専用の基板であってもよいし、各手段が発揮する機能以外の別の機能も発揮する基板（兼用の基板）であってもよい）。また、本発明における基板とは、音声信号出力手段３１や音声信号増幅手段４１を支持する部材であればよく、各基板に回路等が形成されていることを必須の条件とするものではない。
【符号の説明】
【００３３】
１  遊技機
３０  サブ制御基板（第一基板）
３１  音声信号出力手段
３４  スピーカ
４０  増幅用基板（第二基板）
４１  音声信号増幅手段
５０  変換装置 
５１  音声出力装置
７０  接続部
【図１】
2016202826.tif 000003
【図２】
2016202826.tif 000004
【図３】
2016202826.tif 000005
【図４】
2016202826.tif 000006
【図５】
2016202826.tif 000007
【図６】
2016202826.tif 000008
【手続補正書】
【提出日】平成28年6月7日(2016.6.7)
【手続補正１】
【補正対象書類名】特許請求の範囲
【補正対象項目名】請求項１
【補正方法】変更
【補正の内容】
【請求項１】
音声信号を出力する音声信号出力手段と、
前記音声信号出力手段から出力された音声信号を増幅する音声信号増幅手段と、
前記音声信号増幅手段によって増幅された音声信号に基づいて音声を出力する音声出力装置と、
を備え、
前記音声信号出力手段が第一基板に設けられ、前記音声信号増幅手段が前記第一基板とは異なる第二基板に設けられており、
前記第一基板に設けられた前記音声信号出力手段の出力側の配線である第一配線、および前記第二基板に設けられた前記音声信号増幅手段の入力側の配線である第二配線の少なくともいずれか一方には、外部機器が接続可能な接続部が設けられていることを特徴とする遊技機。
【手続補正２】
【補正対象書類名】明細書
【補正対象項目名】０００７
【補正方法】変更
【補正の内容】
【０００７】
上記課題を解決するためになされた本発明にかかる遊技機は、音声信号を出力する音声信号出力手段と、前記音声信号出力手段から出力された音声信号を増幅する音声信号増幅手段と、前記音声信号増幅手段によって増幅された音声信号に基づいて音声を出力する音声出力装置と、を備え、前記音声信号出力手段が第一基板に設けられ、前記音声信号増幅手段が前記第一基板とは異なる第二基板に設けられており、前記第一基板に設けられた前記音声信号出力手段の出力側の配線である第一配線、および前記第二基板に設けられた前記音声信号増幅手段の入力側の配線である第二配線の少なくともいずれか一方には、外部機器が接続可能な接続部が設けられていることを特徴とする。